(57)【要約】【課題】エレベーターホールから離れた位置からエレベーターを呼んだ利用者がエレベーターホールで再度エレベーターを呼ぶような手間が生じるのを防止する。【解決手段】配車されたエレベーターが、所定時間内すなわち利用者がエレベーターホールに着く前に、エレベーターホールに到着しかつサービスを行った場合、再度、ホール呼びに対してサービスするエレベーターを選択して配車する。【選択図】  図２
2004331337.tif 000002
【特許請求の範囲】
【請求項１】
エレベーターホールから離れた位置で作成されたホール呼びに対してサービスするエレベーターを、複数のエレベーターから選択して、前記エレベーターホールに配車し、
配車されたエレベーターが所定時間内に前記エレベーターホールに到着しかつサービスを行った場合に、再度、前記ホール呼びに対してサービスするエレベーターを選択して、前記エレベーターホールに配車するエレベーター遠隔ホール呼び方法。
【請求項２】
エレベーターホールから離れた位置でホール呼びが作成されてからの経過時間が所定時間内である場合に、複数のエレベーターから、前記所定時間以降に前記エレベーターホールに到着するエレベーターを確保し、確保したエレベーターに対し前記所定時間以降に前記ホール呼びを割り当てるエレベーターの遠隔ホール呼び方法。
【請求項３】
請求項２において、前記所定時間以降に前記エレベーターホールに到着するエレベーターを確保できず、かつ前記経過時間が前記所定時間を超えた場合に、前記複数のエレベーターのいずれかに前記ホール呼びを割り当てるエレベーターの遠隔ホール呼び方法。
【請求項４】
エレベーターホールから離れた位置でホール呼びが作成されてからの経過時間が所定時間を超えた場合に、前記ホール呼びを登録するかまたは有効にするエレベーターの遠隔ホール呼び方法。
【請求項５】
請求項１〜５のいずれか１項において、前記所定時間は、エレベーター利用者が、前記エレベーターホールから離れた位置から前記エレベーターホールまで移動するのに要する時間に応じて設定されるエレベーターの遠隔ホール呼び方法。
【発明の詳細な説明】
【０００１】
【発明の属する技術分野】
本発明は、エレベーター遠隔ホール呼び方法に関する。
【０００２】
【従来の技術】
従来、エレベーターのかご呼びの遠隔操作としては、次のような技術が知られている。
【０００３】
マンションの各居室にエレベーターの呼びを登録できる操作部を設置し、居住者が居室の玄関を出る際にエレベーターの呼びを登録し、エレベーターが移動している間に通路を通ってエレベーターホール（エレベーター乗場）まで移動する。これにより、エレベーターホールでエレベーターが到着するのを待っている時間を省略できるので、時間的に効率良くエレベーターが利用できる（例えば、特許文献１参照。）。
【０００４】
また、エレベーターホールから離れた位置にエレベーターの呼び登録と行き先登録ができる装置を設け、ＶＩＰ等が利用するために遠隔呼び登録した後、所定時間間隔で複数回の呼び登録指令信号をエレベーター用ネットワークに出力する。これにより、ＶＩＰ等がホールに到着する前にエレベーターが他の呼びに応答した場合でも、ＶＩＰ等の待ち時間が長くならない。さらに、一般乗客へのサービス低下が防止される（例えば、特許文献２参照。）。
【０００５】
【特許文献１】
特開平６−３２１４４３号公報
【特許文献２】
特開２００１−２４０３１７号公報
【０００６】
【発明が解決しようとする課題】
近年のマンション，オフィスビル等では、玄関ホールが広く、玄関ホール入口からエレベーターホールまでの距離が長いものが多くなっている。そこで、上記従来技術と同様に、エレベーターホールから離れた場所、すなわち玄関ホールにエレベーターのホール呼びのできる装置を設置すれば、エレベーター利用者がエレベーターホールまで行かずに玄関入口でエレベーターのホール呼びを行い、エレベーターホールでの待ち時間を低減できる。しかし、玄関ホールで利用者Ａがホール呼び操作をしたときに、Ａより先に利用者Ｂが、ホール呼び操作をしており既にエレベーターが到着しＢが乗り出発してしまったときや、エレベーター出入口にあるホール呼びボタンを使って別の利用者が乗り、出発してしまった場合には、Ａは再びエレベーターのホール呼び操作をしなくてはならなくなる。
【０００７】
本発明は、上記のような問題点を考慮してなされたものであり、エレベーターホールから離れた位置からエレベーターを呼んだ利用者がエレベーターホールで再度エレベーターを呼ぶような手間が生じるのを防止する。
【０００８】
【課題を解決するための手段】
本発明によるエレベーター遠隔ホール呼び方法においては、配車されたエレベーターが、所定時間内すなわち利用者がエレベーターホールに着く前に、エレベーターホールに到着しかつサービスを行った場合に、再度、ホール呼びに対してサービスするエレベーターを選択して配車する。
【０００９】
ここで、所定時間は、例えば、エレベーター利用者がエレベーターホールから離れた位置からエレベーターホールまで移動するのに要する時間に応じて設定される。
【００１０】
本発明による他のエレベーター遠隔ホール呼び方法においては、ホール呼びが作成されてからの経過時間が所定時間内である場合に、所定時間以降にエレベーターホールに到着するエレベーターを確保し、確保したエレベーターに対し所定時間以降にホール呼びを割り当てる。あるいは、経過時間が所定時間を超えた場合に、ホール呼びを登録するかまたは有効にする。
【００１１】
これらのエレベーター遠隔ホール呼び方法によれば、利用者がエレベーターホールに着いた時に、再度呼び操作をするような手間をかけること無く、エレベーターが配車される。
【００１２】
本発明によるエレベーター遠隔ホール呼び方法の他の特徴は、以下の記述および図面により明らかになるであろう。
【００１３】
【発明の実施の形態】
図１は本発明の一実施例であるエレベーター遠隔ホール呼びシステムの全体構成例を示すブロック図である。マンションやオフィスビルのような建物に複数のエレベーター４（ＥＶ）が備えられ、これらのエレベーター４は、玄関ホール５から離れたエレベーターホール（エレベーター乗場）６において発着する。玄関ホール５には、エレベーターのホール呼びを作成するための操作端末２が設置される。エレベーター利用者は、操作端末２のスイッチボタンやタッチパネルを操作することにより、エレベーターホール６へエレベーターを呼ぶことができる。操作端末２を操作すると、操作端末２と有線または無線で接続された制御装置１から、制御装置１と有線または無線で接続されてエレベーター４の運行を制御するエレベーター制御装置３へホール呼び信号が送信され、ホール呼びがエレベーター制御装置３に登録される。
【００１４】
制御装置１は、以下に詳しく述べるように、ホール呼びの登録によってエレベーターホール６に配車されたエレベーター４が、エレベーター利用者がエレベーターホール６に着く前に、エレベーターホール６における他の利用者や他の階床におけるホール呼びに対してサービスを行ったと判断した場合には、再度ホール呼び信号をエレベーター制御装置３に送信してホール呼びを登録する。
【００１５】
図２は、図１の実施例における遠隔ホール呼び方法を示すフローチャートである。まず、エレベーター利用者の操作により操作端末２でホール呼びが作成されると、制御装置１は、そのホール呼びに応じてホール呼び信号をエレベーター制御装置３に送信してホール呼びを登録する（ステップＳ１）。なお、作成されたホール呼びは、一連の動作が終了するまで制御装置１において保持される。エレベーター制御装置３は、ホール呼びが登録されると、複数のエレベーターの中から登録されたホール呼びに対してサービスするエレベーターを選択してエレベーターホール６へ配車する。配車されたエレベーターは、操作端末２を操作した利用者がエレベーターホールに到着するまではエレベーターホール６に待機するが、他の利用者や他の階床におけるホール呼びに対してもサービスできる。制御装置１は、次に、エレベーター制御装置３から、配車されたエレベーターの運行に関する情報信号を受信し、選択されたエレベーターが所定時間内に到着してかつサービスを行ったか否かを判定する（ステップＳ２）。
【００１６】
所定時間とは、操作端末２を操作したエレベーター利用者が玄関ホール５からエレベーターホール６に歩いて移動するために要する時間に応じて設定される。すなわち、所定時間内にエレベーターが到着しサービスを行ったと判定された場合（ステップＳ２，ＹＥＳ）とは、操作端末２を操作したエレベーター利用者がエレベーターホールへ到着する前に、配車されたエレベーターが他の利用者または他の階床のホール呼びに対してサービスするために発車してしまったと判定された場合である。この場合は、制御装置１は、再度ホール呼び信号をエレベーター制御装置３へ送信してホール呼びを再登録する（ステップＳ３）。また、所定時間内にエレベーターが到着しサービスを行ったと判定されなかった場合（ステップＳ２，ＮＯ）とは、配車されたエレベーターがエレベーターホールに未到着であるか待機している場合である。この場合は、操作端末を操作したエレベーター利用者が配車されたエレベーターを利用できる。すなわち、配車されたエレベーターが、操作端末を操作したエレベーター利用者に対してサービスできるので、制御装置１は、操作端末の操作によって作成され制御装置１内に保持したホール呼びをリセットし、ホール呼び動作を終了し、次に操作端末によって作成されるホール呼びに待機する（ＥＮＤ）。
【００１７】
本実施例によれば、玄関ホールの操作端末でエレベーターを呼んだ利用者が、エレベーターホールに着く前に、呼んだエレベーターが他の利用者や他の呼びに対してサービスするために発車してしまっても、再度呼び操作をすることなく、エレベーターを呼ぶことができる。また、制御装置１による呼び再登録は所定時間内において行われ、所定時間を過ぎたら再登録動作はリセットされるので、再登録動作に伴う他の利用者へのサービス低下を防止することができる。
【００１８】
なお、上記実施例において、操作端末は、玄関ホールに限らず、エレベーターが設置されている建屋内（居室，事務所等）または建屋の近傍（屋外，屋内駐車場）などのエレベーターホールから離れた位置に設置してもよい。また、操作端末の代わりに、エレベーター利用者が所有する携帯電話や携帯端末でエレベーター呼びを作成してもよいし、玄関における個人認証システムや玄関ドアの開閉に連動してホール呼びを作成してもよい。
【００１９】
図２で説明したホール呼び登録動作をエレベーター制御装置３内で行ってもよい。このとき、制御装置１から送信されたホール呼び信号はエレベーター制御装置内に保持され、そのホール呼びに対して配車されたエレベーターが所定時間内すなわち利用者がエレベーターホールに着く前にホールに到着し他の利用者や他の呼びに対してサービスしてしまったと判定した場合には、保持されたホール呼びを有効にして再度エレベーターを配車する。そして、所定時間内にエレベーターが到着しサービスを行ったと判定されなかった場合すなわち配車されたエレベーターがエレベーターホールに未到着であるか待機している場合は、保持したホール呼びをリセットする。
【００２０】
図３は、システム構成は図１の実施例と同様であるが、図２とはホール呼び動作が異なる他の実施例における遠隔ホール呼び方法を示すフローチャートである。まず、エレベーター利用者が操作端末２を操作してホール呼びが作成されると、制御装置１はホール呼びを自制御装置内に保持するか、またはエレベーター制御装置３へホール呼び信号を送信して、ホール呼びをエレベーター制御装置３内に保持させる（この時点ではまだホール呼びとして有効ではない）（ステップＳ１）。
【００２１】
次に、制御装置１は、ホール呼び作成以降の経過時間を計測し、経過時間が所定時間内であるか否かを判定する（ステップＳ２）。ここで、所定時間は、図２の実施例と同様に、操作端末２を操作したエレベーター利用者がエレベーターホール６に移動するのに要する時間に応じて設定される。経過時間が所定時間内と判定された場合（ステップＳ２，ＹＥＳ）、制御装置１は、エレベーター制御装置３に指令信号を送信して、所定時間以降にエレベーターホールに到着する状態のエレベーターを確保できるか否かを判断させる（ステップＳ３）。エレベーターを確保できた場合（ステップ３，ＹＥＳ）、エレベーター制御装置３は、確保したエレベーターに関する情報信号（号機番号，現在位置などの運行情報など）を制御装置１へ送信する。制御装置１は、情報信号を受信すると、保持していたホール呼びを所定時間以降にエレベーター制御装置３にホール呼び信号として送信してホール呼びを登録するか、またはエレベーター制御装置３に対して、エレベーター制御装置３が保持していたホール呼びをサービス呼びとして有効とするように指令する（ステップＳ４）。これによって、確保したエレベーターにホール呼びが割り当てられ、このエレベーターがエレベーターホール６に配車される。ここで、制御装置１が、受信した情報信号に基づいて、確保したエレベーターに関する情報信号（号機番号，現在位置などの運行情報など）を操作端末２に表示する表示制御を行うことにより、利用できるエレベーターの番号や運行状況を知ることができるなど、エレベーター利用者へのサービスが良好になる（後述する図４を参照）。
【００２２】
なお、所定時間以降にエレベーターホールに到着する状態のエレベーターを確保できず（ステップＳ３，ＮＯ）、かつ経過時間が所定時間を超えたと判定された場合（ステップＳ１，ＮＯ）、制御装置１は保持していたホール呼びを所定時間以降にエレベーター制御装置３にホール呼び信号として送信してホール呼びを登録するか、またはエレベーター制御装置３に対して、エレベーター制御装置３が保持していたホール呼びをサービス呼びとして有効とするように指令する（ステップＳ４）。そして、エレベーター制御装置３は、複数のエレベーターの中のいずれかにそのホール呼びを割り当てる。
【００２３】
本実施例によれば、所定時間以降にエレベーターホール６に確実にエレベーターが配車され、操作端末でエレベーターを呼んだ利用者がエレベーターホールで再度エレベーターを呼ぶ手間が生じるのを防止することができる。また、利用者は、エレベーターホール６で少ない待ち時間でエレベーターを利用することができる。さらに、本実施例においては、所定時間内に、エレベーターが複数回配車されることはないので、複数のエレベーター全体の運用効率を良好に保つことができる。
【００２４】
なお、上記実施例において、図２の実施例と同様に、操作端末は、エレベーターが設置されている建屋内または建屋の近傍に設置してもよい。また、操作端末の代わりに、携帯電話や携帯端末でエレベーター呼びを作成してもよいし、玄関における個人認証システムや玄関ドアの開閉に連動してエレベーター呼びを作成してもよい。
【００２５】
図３で説明したホール呼び登録動作をエレベーター制御装置内で行ってもよい。このとき、操作端末２でホール呼びが作成されると、制御装置１からエレベーター制御装置３へホール呼び信号が送信され、ホール呼びがエレベーター制御装置内に保持される。次に、エレベーター制御装置３は、所定時間以降にエレベーターホールに到着できるエレベーターを確保できるか否かを判定し、確保できるときは所定時間以降にホール呼びをサービス呼びとして有効にする。
【００２６】
図４は、操作端末２の画面イメージを示す。本図に示すように、操作端末には、モニタ表示機能８が搭載され、操作端末によって呼んだエレベーターの運行状況を表示し、利用者に現在のエレベーターの位置を把握できるようにする。また、画面には、次のような遠隔操作メニュー９を設定できる。一般呼びとしては、ロビーボタン１０，駐車場ボタン１１によって利用者はホール呼びを登録でき、また、サービス階切離し一時解除を登録するボタン１２を備えている。また、オプション機能として専用運転モードがあり、専用戸開待機ボタン１３を押すことにより、利用者がエレベーターに乗るまでエレベーターの戸が開いていて待っているというサービスや、動物専用呼びボタン１４を押すことにより、動物を飼っている利用者が、他の利用者と同時に乗り込まないようにするというサービスがある。いずれも、専用運転は課金サービスとなる。
【００２７】
上記の各実施例に限らず、本発明の技術的思想の範囲内において、種々の変形例が可能である。例えば、図３において、ステップＳ３を省略した場合でも、図３の実施例よりも多少待ち時間が増える場合はあるが、所定時間後に、すなわちエレベーター利用者がエレベーターホールに着いた時に確実にエレベーターを配車することができる。従って、この場合でも、利用者がホールで再度エレベーターを呼ぶ手間が生じることを防止することができる。
【００２８】
【発明の効果】
本発明によれば、エレベーターホールから離れた所からエレベーターを呼んだ利用者が、エレベーターホールで再度エレベーターを呼ぶ手間が生じるのが防止される。
【図面の簡単な説明】
【図１】本発明の実施例であるエレベーター遠隔ホール呼びシステムの全体構成例を示すブロック図。
【図２】図１の実施例における遠隔ホール呼び方法を示すフローチャート。
【図３】図２とは異なる他の実施例における遠隔ホール呼び方法を示すフローチャート。
【図４】操作端末２の画面イメージ。
【符号の説明】
１…制御装置、２…操作端末、３…エレベーター制御装置、４…エレベーター、５…玄関ホール、６…エレベーターホール。
【図１】
2004331337.tif 000003
【図２】
2004331337.tif 000004
【図３】
2004331337.tif 000005
【図４】
2004331337.tif 000006